(57)【特許請求の範囲】
【請求項１】
子供受入空間を形成する壁を備えた座席付きの育児器具において、
前記壁は、互いに重ね合わせて配置される第１および第２の板部材を備え、
前記第１の板部材は、厚み方向に貫通する第１の通気用開口を有し、
前記第２の板部材は、厚み方向に貫通する第２の通気用開口を有し、かつ前記第１および第２の通気用開口が整列する第１の位置と、前記第１および第２の通気用開口がずれて位置する第２の位置との間を相対的に位置変更可能に設けられていることを特徴とする、育児器具。
【請求項２】
前記第１および第２の板部材は、座席の座面、背面または側面に沿って配置される、請求項１に記載の育児器具。
【請求項３】
座席の座面または背面に沿って配置される芯材を備え、前記芯材が、前記第１および第２の板部材を備える、請求項１または２に記載の育児器具。
【請求項４】
座席の座面および背面に沿って配置されるシートと、前記シートの背面部の背後に取付けられた袋とを備え、前記芯材は、前記袋内に取り出し可能に収納される、請求項３に記載の育児器具。
【請求項５】
座席の上部に幌を備え、前記幌を構成する壁が、前記第１および第２の板部材を備える、請求項１に記載の育児器具。
【発明の詳細な説明】
【０００１】
【発明の属する技術分野】
この発明は、乳母車、チャイルドシート、ベビーラック、子守帯その他の育児器具に関するものである。
【０００２】
【従来の技術】
育児器具の開発にあたっては、たとえば座席に座る子供に対して快適な環境を与えることができるようにするのが望ましい。また、乳母車等の育児器具を運転操作する母親等に安心感を持たせることができるようにするのが望ましい。
【０００３】
【発明が解決しようとする課題】
子供に対して快適な環境を与える要素の一つとして、通気性がある。夏や、暑くて湿気の多い日には、座席に座る子供に涼感を与えるために、通気性の良好な座席が好ましい。一方、冬や、寒くて風のきつい日には、隙間風の侵入を防いで保温性を維持できるような座席が好ましい。
【０００４】
また、他の育児器具として子守帯においては、親側が装着する親側装着具と、子供側キャリアとがあるが、どちらも、夏や、暑くて湿気の多い日には、涼感を与えるために、通気性を備えていることが好ましい。一方、冬や、寒くて風のきつい日には、保温性を維持できることが好ましい。
【０００５】
一方、幌を備えた乳母車の場合、例えば背面押しで乳母車を運転操作していると、幌が邪魔になって座席内の子供の姿が見えず、母親等にとって不安感を抱くことがある。
【０００６】
この発明は、上記の課題に注目してなされたものであり、その目的は、通気性の程度を調整することのできる育児器具を提供することである。
【０００７】
この発明の他の目的は、必要に応じて子供の姿を確認できるようにした幌を備える座席付き育児器具を提供することである。
【０００８】
【課題を解決するための手段】
この発明の１つの局面においては、子供受入空間を形成する壁を備えた座席付きの育児器具を前提とし、次のことを特徴とする。すなわち、壁は、互いに重ね合わせて配置される第１および第２の板部材を備える。第１の板部材は、厚み方向に貫通する第１の通気用開口を有する。第２の板部材は、厚み方向に貫通する第２の通気用開口を有し、かつ第１および第２の通気用開口が整列する第１の位置と、第１および第２の通気用開口がずれて位置する第２の位置との間を相対的に位置変更可能に設けられている。
【０００９】
上記の構成を備えた本発明によれば、第２の板部材を第１の位置に保持すれば、整列した第１および第２の通気用開口を通して座席内に風が通るようになるので、良好な通気性が得られる。一方、第２の板部材を第２の位置に保持すれば、第１および第２の通気用開口が遮断されるので、通気用開口を通した風の侵入が無くなり、良好な保温性が得られる。
【００１０】
一つの好ましい実施形態では、第１および第２の板部材は、座席の座面、背面または側面に沿って配置される。座面、背面および側面のうちのいずれか一つだけに第１および第２の板部材を配置してもよいし、すべての面に沿って第１および第２の板部材を配置してもよい。
【００１１】
座席の座面または背面に沿って配置される芯材を備えた育児器具の場合、芯材が、上記の第１および第２の板部材を備えるようにしてもよい。この種の育児器具の中には、座席の座面および背面に沿って配置されるシートと、このシートの背面部の背後に取付けられた袋とを備えるものがある。その場合、芯材を袋内に取り出し可能に収納してもよい。
【００１２】
他の好ましい実施形態では、育児器具は座席の上部に幌を備える。この場合、幌を構成する壁が、上記の第１および第２の板部材を備える。このような構成にすれば、第２の板部材を第１の位置に保持したとき、整列した第１および第２の開口を通して座席内の子供を見ることができるので、育児器具を操作する母親等に安心感を持たせることができる。
【００１３】
この発明の他の局面において、座席付きの育児器具は、子供受入空間を形成する壁を備え、この壁は、通気孔と、この通気孔を開閉する開閉手段とを有する。開閉手段を動かして通気孔を開けば、座席内に風が通るようになる。一方、開閉手段を動かして通気孔を閉じれば、風の侵入がなくなる。
【００１４】
この発明のさらに他の局面において、子守帯としての育児器具においては、親側装着具と、親側装着具に連結され赤ちゃんを抱っこするための子供側キャリアとを備え、この子供側キャリアは、赤ちゃんの背面をサポートする子供側背部サポート部材を備え、この子供側背部サポート部材は、通気孔と、この通気孔を開閉する第１開閉手段とを有する。この第１開閉手段を動かして通気孔を開けば、赤ちゃんの背中に風が通るようになる。一方、第１開閉手段を動かして通気孔を閉じれば、風の侵入がなくなる。
【００１５】
他の好ましい実施形態では、親側装着具は、親の背面をサポートする親側背部サポート部材を備え、この親側背部サポート部材は、通気孔と、この通気孔を開閉する第２開閉手段とを有する。子供側背部サポート部材と同様に、第２開閉手段を動かして通気孔を開けば、親の背中に風が通るようになる。一方、第２開閉手段を動かして通気孔を閉じれば、風の侵入がなくなる。
【００１６】
【発明の実施の形態】
（実施の形態１）
図１は、座席付きの育児器具の一例としての乳母車を示している。図示する乳母車１は、座席の座面および背面に沿って延在するシート２と、このシート２の背面部の背後に取付けられたメッシュ状の袋３とを備える。袋３の上部開口には蓋部４が設けられており、ボタン５を介して上部開口を閉じるようにしている。袋３内には、シート２の背面部に剛性を与えるための芯材６が取り出し可能に収納されている。
【００１７】
図２および図３は、芯材６の詳細を示している。図示するように、芯材６は、互いに重ね合わせて配置される第１の板部材７と、第２の板部材８とを備える。第１の板部材７に比べて、その背後に重なる第２の板部材８は、面方向に広がる面積および厚みが小さくされている。
【００１８】
第１の板部材７の上方部分に、上プレート９が固定ピン１０を介して固定されている。上プレート９と第１の板部材７との間には、図３に示すように、第２の板部材８の厚みに相当する大きさの隙間が存在する。第２の板部材８は、その上方端部分が上プレート９と第１の板部材７との間に挟まれており、第１の板部材７上で上下方向に位置変更可能に設けられている。
【００１９】
図４を参照して、上プレート９の詳細を説明する。上プレート９は、中央部分に、厚みを減ずる段差凹部１１と、厚み方向に貫通して上下に長く延びるガイド貫通孔１２とを有する。また、ガイド貫通孔１２に沿って上下に長く位置する板ばね１５が、離れて位置する２個のピン１３，１４間に保持されている。板ばね１５は、ガイド貫通孔１２側に突出する２個の係止突起２６，２７を有する。
【００２０】
図２および図３に示すように、第２の板部材８に、連結ピン１９を介して操作つまみ１６を固定する。図５に詳細に示すように、操作つまみ１６は、中央部分に、指でつまむための中央突片１７を有する。この中央突片１７の下方の位置に、連結ピン１９を挿通させるための穴１８が位置する。また、操作つまみ１６の底面には、上下方向にやや長く延びる嵌入突部２４が設けられている。
【００２１】
操作つまみ１６は上プレート９の段差凹部１１内に位置し、操作つまみ１６の嵌入突部２４は上プレート９のガイド貫通孔１２内に位置する。操作つまみ１６の嵌入突部２４は、板ばね１５の係止突起２６または２７に係合する係止凹部２５を有する。操作つまみ１６は、上プレート９の段差凹部１１内を上下方向に位置変更可能になっている。図２および図３に示す状態では、操作つまみ１６は段差凹部１１内の最上方の位置にあり、操作つまみ１６の嵌入突部２４も上プレート９のガイド貫通孔１２内の最上方の位置にある。
【００２２】
第１および第２の板部材７，８の下方部分に注目する。第２の板部材８には上下に長く延びるガイド貫通孔２０が形成され、第１の板部材７にはガイド貫通孔２０内を挿通する立設ピン２１が設けられている。図２および図３に示す状態では、立設ピン２１は、ガイド貫通孔２０の最下方に位置している。
【００２３】
第１の板部材７および第２の板部材８には、それぞれ厚み方向に貫通する多数の貫通孔または開口２２および２３が形成されている。図２および図３に示す状態では、第１の板部材７の開口２２と第２の板部材８の開口２３とが整列した位置関係になっている。便宜上、この位置関係を第１の位置とする。この状態では、板ばね１５の２つの係止突起２６および２７のうち、上方に位置する係止突起２６が操作つまみ１６の嵌入突部２４の係止凹部２５に係合して、第１および第２の板部材７，８が相対的に位置ずれしないようにしている。
【００２４】
図２および図３に示す状態から、操作つまみ１６の中央突片１７を指でつまんで下方に移動させると、第２の板部材８が第１の板部材７上を下方にスライドする。この状態では、第１の板部材７の開口２２と第２の板部材８の開口２３とがずれた位置関係になり、両開口２２および２３が閉塞した状態となる。便宜上、この位置関係を第２の位置とする。この状態では、図６に示すように、板ばね１５の２個の係止突起２６および２７のうち下方に位置する係止突起２７が操作つまみ１６の嵌入突部２４の係止凹部２５に係合して、第１および第２板部材７，８が相対的に位置ずれしないようにしている。
【００２５】
夏や、暑くて湿気の多い日には、第２の板部材８を図２および図３に示す第１の位置に保持する。この状態では、第１の板部材７の第１開口２２と第２の板部材８の第２開口２３とが整列しているので、背面に位置する芯材６の開口２２，２３を通して座席内に風が入り込み、子供の背中に涼感を与えることができる。
【００２６】
冬や、寒くて風のきつい日には、第２の板部材８を下方に移動させて図６に示す第２の位置に保持する。この状態では、第１の板部材７の第１開口２２と第２の板部材８の第２開口２３とがずれた位置関係になり、両開口２２、２３が遮断されるので、開口を通る風の侵入が無くなり、良好な保温性を維持できる。
【００２７】
図１〜図６に示した実施形態では、第１の板部材７および第２の板部材８の開口２２，２３が共に貫通孔の形態であったが、それ以外の形態もあり得る。例えば、図７に示すように、板部材２８の両側方部分に中央に向かって延びる切欠き２９を設けるようにしても良い。
【００２８】
図１〜図７を用いてこの発明の好ましい実施の形態を説明したが、それらは例示的なものである。これらの実施の形態に対して、この発明と同一の範囲内において、および均等の範囲内において、種々の修正や変形を加えることが可能である。以下に、それらのいくつかを列挙して説明する。
【００２９】
（１）図示した実施の形態では、第１および第２の板部材を座席の背面に沿って配置した。他の例として、座席の座面に沿って、あるいは座席の側面に沿って第１および第２の板部材を配置するようにしても良い。座席の座面、背面および側面の全ての面に第１および第２の板部材を配置すれば、より良好な通気性が得られる。
【００３０】
（２）図示した実施形態では、芯材が第１および第２の板部材を備えていた。他の例として、座席を構成する育児器具の本体壁自体が第１および第２の板部材を備えるものであってもよい。
【００３１】
（３）本発明を適用できる座席付き育児器具としては、乳母車に限られず、チャイルドシートやベビーラック等も挙げることができる。
【００３２】
（４）図示した実施の形態では、第１の板部材が静止し、第２の板部材が位置変更可能に設けられていた。その逆に、第１の板部材を位置変更可能に設け、第２の板部材を静止させてもよいし、あるいは、両者を位置変更可能に設けてもよい。また、両板部材を上下方向に相対移動可能に設ける代わりに、左右方向に相対移動可能に設けてもよい。
【００３３】
（５）図示した実施の形態では、第１および第２の板部材が第１の位置関係にあるとき両者の開口が整列し、第２の位置関係にあるとき両者の開口がずれて閉塞した状態となるものであった。修正例として、両板部材の開口が半分だけ整列する「半開き」状態となる中間位置を設けるようにしてもよい。
【００３４】
（６）図示した実施の形態では、両板部材が第１および第２の位置関係にあるときの両板部材の位置ずれを防止するために板ばねを使用したが、板ばねに変わるべき手段を採用してもよい。
【００３５】
（７）幌を備えた育児器具の場合、幌も子供受入空間を形成する壁となる。幌付き乳母車を背面押しの状態で運転操作しているときには、幌の存在が邪魔となって子供の姿が見えない。そこで、幌を構成する壁が前述したような第１および第２の板部材を備えるようにすれば、必要に応じて、整列した第１および第２の板部材の開口を通して座席内の子供を見ることができるので、乳母車を運転操作する母親等に安心感を与えることができる。
【００３６】
（８）子供受入空間を形成する壁が、実施の形態で説明したような第１および第２の板部材を備えるようなものでなくともよい。この場合、壁は、通気孔と、この通気孔を開閉する開閉手段とを有する。開閉手段を動かして、通気孔を開けば、座席内に風が通るようになる。一方、開閉手段を動かして、通気孔を閉じれば、風の侵入が無くなる。開閉手段としては、例えば、通気孔を閉塞する蓋部材、壁に回動可能に連結されたプレート部材、壁に取付けられた柔軟なシート部材等を採用できる。
【００３７】
ここで、図８に、幌を備えた乳母車３００を図示する。この乳母車３００は、基本的構成は、図１に示す乳母車１と同じである。座部３０２と、この座部３０２に対して後方にリクライニング可能に設けられる背もたれ部３０３とを備え、座部３０２および背もたれ部３０３によりベッド面としての子供受入空間を形成している状態を示している。座部３０２および背もたれ部３０３の上面には、幌３０７が、子供受入空間を覆うように設けられている。
【００３８】
背もたれ部３０３は、赤ちゃんの頭頂部を保護するためのヘッドガード３０１が設けられている。ヘッドガード３０１および背もたれ部３０３にはそれぞれ、上記図２から図５を用いて説明した機構と同様の通気機構（ベンチレーション機構）３１０，３１１が設けられている。
【００３９】
また、幌３０７も折りたたみ可能なように連結された、前側幌３０４、中間幌３０５、および後側幌３０６が設けられている。前側幌３０４には、メッシュ部材等からなる通気窓３０４が設けられ、赤ちゃんの顔を視認可能としている。また、後側幌３０６にも、メッシュ部材等からなる通気窓３０６ａが設けられ、さらにこの通気窓３０６ａの開閉を行なうための開閉カバー３０８が設けられている。
【００４０】
このように、幌３０７にも通気領域を設けることにより、図８に示すように、乳母車３００の全面を幌３０７によって覆う場合においても、矢印Ｆに示すような通気ルートが確保され、子供受入空間における良好な通気性が得られる。
【００４１】
（実施の形態２）
図９は、育児器具の一例としての子守帯を示している。図示する子守帯５０は、親１０００側に装着される親側装着具２００と、親側装着具２００に連結され赤ちゃん２０００を抱っこするための子供側キャリア１００とを有する。
【００４２】
子供側キャリア１００は、図示するように赤ちゃん２０００の背面をサポートする子供側背部サポート部材１０１が設けられている。同様に、親１０００側にも、図９および図１０に示すように、親１０００の背面をサポートする親側背部サポート部材２０１が設けられている。
【００４３】
子供側背部サポート部材１０１には、通気孔と、この通気孔を開閉する第１開閉手段が設けられている。この詳細構造を図１１に示す。
【００４４】
この子供側背部サポート部材１０１は、互いに重ね合わせて配置される第１の板部材１０２と、第２の板部材１０４とを有する。この第１の板部材１０２には、厚み方向に貫通する複数の第１の開口１０２ａが設けられる。また、第２の板部材１０４にも、厚み方向に貫通する複数の第２の開口１０４が設けられる。
【００４５】
第１の開口１０２ａと第２の開口１０４ａとは、図１１に示すように全ての開口の位置が一致して整列する第１の位置と、第２の板部材１０４をスライド移動させることにより、全ての開口の位置がずれて位置する第２の位置との間を相対的に位置変更可能に設けられている。
【００４６】
第１の板部材１０２の子供側に面する側には、クッション部材１０３が設けられ、このクッション部材１０３には、第１の板部材１０２の第１の開口１０２ａに対応する第３の開口１０３ａが設けられている。なお、第２の板部材１０４は、第１の板部材１０２に対して、クッション部材１０３とは反対側の外側に設けられている。
【００４７】
第１の板部材１０２、第２の板部材１０４およびクッション部材１０３の下端部には、それぞれ開口領域１０２ｂ、１０３ｂ、１０４ｂが設けられ、この開口領域１０２ｂ、１０３ｂ、１０４ｂを利用して、第１の板部材１０２、第２の板部材１０４およびクッション部材１０３を連結するゴム等の弾性部材１０８が配置されている。これにより、第２の板部材１０４を第１の板部材１０２に対して相対的にスライド移動可能としている。通常状態においては、全ての開口の位置が一致して整列する第１の位置となる。
【００４８】
第１の板部材１０２、第２の板部材１０４およびクッション部材１０３は、メッシュ部材等、通気性のあるカバー部材１０７により覆われている。また、第２の板部材１０４の上端には、ホック等の係止具１０５が設けられ、この係止具１０５の上方のカバー部材１０７には、この係止具１０５が着脱可能に係止するホック等の係止具１０６が設けられている。第２の板部材１０４を上方にスライドさせ、係止具１０５を係止具１０６に係止させた状態においては、全ての開口の位置がずれて位置する第２の位置が選択される。
【００４９】
親側背部サポート部材２０１にも、子供側背部サポート部材１０１と同様の、通気孔と、この通気孔を開閉する第２開閉手段が設けられている。この詳細構造を図１２に示す。
【００５０】
この親側背部サポート部材２０１は、互いに重ね合わせて配置される第１の板部材２０２と、第２の板部材２０４とを有する。この第１の板部材２０２には、厚み方向に貫通する複数の第１の開口２０２ａが設けられる。また、第２の板部材２０４にも、厚み方向に貫通する複数の第２の開口２０４が設けられる。
【００５１】
第１の開口２０２ａと第２の開口２０４ａとは、図１２に示すように全ての開口の位置が一致して整列する第１の位置と、第２の板部材２０４をスライド移動させることにより、全ての開口の位置がずれて位置する第２の位置との間を相対的に位置変更可能に設けられている。
【００５２】
第１の板部材２０２の親の背中側に面する側には、クッション部材２０３が設けられ、このクッション部材２０３には、第１の板部材２０２の第１の開口１０２ａに対応する第３の開口２０３ａが設けられている。また、第２の板部材２０４の子供側に面する側には、クッション部材２０９が設けられ、このクッション部材２０９には、第２の板部材２０４の第２の開口２０４ａに対応する第４の開口２０９ａが設けられている。
【００５３】
第１の板部材２０２、第２の板部材２０４、クッション部材２０３、およびクッション部材２０９の下端部には、それぞれ開口領域２０２ｂ、２０３ｂ、２０４ｂ、２０９ｂが設けられ、この開口領域２０２ｂ、２０３ｂ、２０４ｂ、２０９を利用して、第１の板部材２０２、第２の板部材２０４、クッション部材２０３、およびクッション部材２０９を連結するゴム等の弾性部材２０８が配置されている。これにより、第２の板部材２０４を第１の板部材２０２に対して相対的にスライド移動可能としている。通常状態においては、全ての開口の位置が一致して整列する第１の位置となる。
【００５４】
第１の板部材２０２、第２の板部材２０４、クッション部材２０３、およびクッション部材２０９は、メッシュ部材等、通気性のあるカバー部材２０７により覆われている。また、第２の板部材２０４の上端には、ホック等の係止具２０５が設けられ、この係止具２０５の上方のカバー部材２０７には、この係止具２０５が着脱可能に係止するホック等の係止具２０６が設けられている。第２の板部材２０４を上方にスライドさせ、係止具２０５を係止具２０６に係止させた状態においては、全ての開口の位置がずれて位置する第２の位置が選択される。
【００５５】
夏や、暑くて湿気の多い日には、第２の板部材１０４，２０４を図１１および図１２に示す第１の位置に保持する。この状態では、第１の板部材１０２，２０２の第１開口１０２ａ，２０２ａと第２の板部材１０４，２０４の第２開口１０４ａ，２０４ａとが整列しているので風が入り込み、子供や親の背中に涼感を与えることができる。
【００５６】
冬や、寒くて風のきつい日には、第２の板部材１０４，２０４を上方にスライド移動させて保持する。この状態では、第１の板部材１０２，２０２の第１開口１０２ａ，２０２ａと第２の板部材１０４，２０４の第２開口１０４ａ，２０４ａとがずれた位置関係になり、両開口が遮断されるので、開口を通る風の侵入が無くなり、良好な保温性を維持できる。
【００５７】
なお、上記実施の形態２においては好ましい実施の形態を説明したが、それらは例示的なものである。これらの実施の形態に対して、上記実施の形態１に示したものと同様の種々の修正や変形を加えることが可能である。
【図面の簡単な説明】
【図１】  この発明の実施の形態１における乳母車を示す斜視図である。
【図２】  重なり合った第１および第２の板部材を示す正面図である。
【図３】  図２の線Ａ−Ａに沿って見た断面図である。
【図４】  上プレートの正面図である。
【図５】  操作つまみの正面図である。
【図６】  操作つまみの嵌入突部が上プレートのガイド貫通孔内に入っている状態を示す図である。
【図７】  板部材の他の例を示す正面図である。
【図８】  この発明の実施の形態１における他の乳母車を示す側面図である。
【図９】  この発明の実施の形態２における子守帯を示す斜視図である。
【図１０】  親側装着部材の構造を示す平面図である。
【図１１】  子供側背部サポート部材１０１の構造を示す断面図である。
【図１２】  親側背部サポート部材２０１の構造を示す断面図である。
【符号の説明】
１，３００  乳母車、２  シート、３  袋、６  芯材、７，１０２，２０２  第１の板部材、８  第２の板部材、９  上プレート、１２  ガイド貫通孔、１５板ばね、１６  操作つまみ、２２，１０２ａ，２０２ａ  第１開口、２３，１０４ａ，２０４ａ  第２開口、２４  嵌入突部、５０  子守帯、１００  子供側キャリア、２００  親側装着具、１０１  子供側背部サポート部材、１０４，２０４  第２の板部材、１０３，２０３  クッション部材、１０３ａ，２０３ａ  第３の開口、１０２ｂ，１０３ｂ，１０４ｂ  開口領域、１０８，２０８  弾性部材、１０７，２０７  カバー部材、１０５，１０６，２０５，２０６  係止具、２０１  親側背部サポート部材、２０９  クッション部材、２０９ａ  第４の開口、３０１  ヘッドガード、３０２  座部、３０３  背もたれ部、３０４  前側幌、３０４ａ，３０６ａ  通気窓、３０５  中間幌、３０６  後側幌、３０７幌、３０８  開閉カバー、３１０，３１１  通気機構（ベンチレーション機構）、１０００  親、２０００  赤ちゃん。
【図１】
0004097466.tif 000002
【図２】
0004097466.tif 000003
【図３】
0004097466.tif 000004
【図４】
0004097466.tif 000005
【図５】
0004097466.tif 000006
【図６】
0004097466.tif 000007
【図７】
0004097466.tif 000008
【図８】
0004097466.tif 000009
【図９】
0004097466.tif 000010
【図１０】
0004097466.tif 000011
【図１１】
0004097466.tif 000012
【図１２】
0004097466.tif 000013